(57)【要約】【課題】視認性を向上させることができる情報処理装置を提供する。【解決手段】複数の表示装置に通信可能に接続される情報処理装置であって、前記複数の表示装置のうち第１表示装置の表示画面に対する描画操作の入力を受け付ける描画操作受付部と、前記描画操作に応じた表示内容を示すセッション情報を記憶する記憶部と、前記複数の表示装置のうち第１表示装置に表示される表示画面に対する表示切り替えを指示する切り替え操作の入力を受け付ける切り替え操作受付部と、前記切り替え操作の入力を受け付けると、前記記憶部に記憶されたセッション情報を前記複数の表示装置のうち前記第１表示装置とは異なる第２表示装置に表示させる表示制御部とを有する。【選択図】図１
2020181161.tif 000002
【特許請求の範囲】
【請求項１】
複数の表示装置に通信可能に接続される情報処理装置であって、
前記複数の表示装置のうち第１表示装置の表示画面に対する描画操作の入力を受け付ける描画操作受付部と、
前記描画操作に応じた表示内容を示すセッション情報を記憶する記憶部と、
前記複数の表示装置のうち第１表示装置に表示される表示画面に対する表示切り替えを指示する切り替え操作の入力を受け付ける切り替え操作受付部と、
前記切り替え操作の入力を受け付けると、前記記憶部に記憶されたセッション情報を前記複数の表示装置のうち前記第１表示装置とは異なる第２表示装置に表示させる表示制御部と
を有する情報処理装置。
【請求項２】
前記記憶部は、異なる時点において表示された表示内容であるセッション情報を前記異なる時点のそれぞれにおいて記憶し、
前記情報処理装置は、
前記記憶部に記憶された複数のセッション情報のうち表示対象となるセッション情報を選択する指示の入力を受け付けるセッション情報選択部を有し、
前表示制御部は、前記セッション情報によって選択されたセッション情報を前記記憶部から読み出して前記第２表示装置に表示させる
請求項１記載の情報処理装置。
【請求項３】
前記セッション情報選択部は、前記セッション情報を選択する指示または新規画面を生成する新規画面生成指示の入力を受付し、
前記表示制御部は、前記セッション情報選択部から入力された指示に応じて前記選択されたセッション情報または新規画面を前記第２表示装置に表示させる
請求項２記載の情報処理装置。
【請求項４】
前記第１表示装置と前記第２表示装置は、お互いの表示画面が面方向において並ぶように配置されている
請求項１から請求項３のうちいずれか１項に記載の情報処理装置。
【請求項５】
複数の表示装置が通信可能に接続される表示システムにおける第１表示装置として機能する表示装置であって、
前記複数の表示装置のうち第１表示装置の表示画面に対する描画操作の入力を受け付ける描画操作受付部と、
前記描画操作に応じた表示内容を示すセッション情報を記憶する記憶部と、
前記複数の表示装置のうち第１表示装置に表示される表示画面に対する表示切り替えを指示する切り替え操作の入力を受け付ける切り替え操作受付部と、
前記切り替え操作の入力を受け付けると、前記記憶部に記憶されたセッション情報を前記複数の表示装置のうち前記第１表示装置とは異なる第２表示装置に表示させる表示制御部と
を有する表示装置。
【請求項６】
複数の表示装置が通信可能に接続される表示システムであって、
第１表示装置は、
前記複数の表示装置のうち第１表示装置の表示画面に対する描画操作の入力を受け付ける描画操作受付部と、
前記描画操作に応じた表示内容を示すセッション情報を記憶する記憶部と、
前記複数の表示装置のうち第１表示装置に表示される表示画面に対する表示切り替えを指示する切り替え操作の入力を受け付ける切り替え操作受付部と、
前記切り替え操作の入力を受け付けると、前記記憶部に記憶されたセッション情報を前記複数の表示装置のうち前記第１表示装置とは異なる第２表示装置に表示させる表示制御部と、を有し、
第２表示装置は、
前記第１表示装置から送信されるセッション情報に応じた画像を第１表示装置から受信する受信部と、
前記受信した画像を表示する表示部と、を有する
表示システム。
【請求項７】
複数の表示装置に通信可能に接続される情報処理装置における表示方法であって、
描画操作受付部が、前記複数の表示装置のうち第１表示装置の表示画面に対する描画操作の入力を受け付け、
記憶部が、前記描画操作に応じた表示内容を示すセッション情報を記憶し、
切り替え操作受付部が、前記複数の表示装置のうち第１表示装置に表示される表示画面に対する表示切り替えを指示する切り替え操作の入力を受け付け、
表示制御部が、前記切り替え操作の入力を受け付けると、前記記憶部に記憶されたセッション情報を前記複数の表示装置のうち前記第１表示装置とは異なる第２表示装置に表示させる
表示方法。
【請求項８】
複数の表示装置が通信可能に接続される表示方法であって、
第１表示装置は、
前記複数の表示装置のうち第１表示装置の表示画面に対する描画操作の入力を受け付け、
前記描画操作に応じた表示内容を示すセッション情報を記憶し、
前記複数の表示装置のうち第１表示装置に表示される表示画面に対する表示切り替えを指示する切り替え操作の入力を受け付け、
前記切り替え操作の入力を受け付けると、前記記憶されたセッション情報を前記複数の表示装置のうち前記第１表示装置とは異なる第２表示装置に表示させ、
第２表示装置が、
前記第１表示装置から送信されるセッション情報に応じた画像を第１表示装置から受信し、
前記受信した画像を表示する
表示方法。
【発明の詳細な説明】
【技術分野】
【０００１】
本発明は、情報処理装置、表示装置、表示システム、表示方法に関する。
【背景技術】
【０００２】
近年、教育や会議において、ＩＷＢ（インタラクティブホワイト）機能を搭載したプロジェクタ等が利用されつつある。ＩＷＢ機能は、パソコン等から出力された映像信号を画面に表示し、その表示された画像や文字等に対し、電子ペンや指による操作によって文字等を書き込んだり、各種操作をしたりすることができる機能である。このようなＩＷＢ機能を有するプロジェクタは、特許文献１に開示されている。
【先行技術文献】
【特許文献】
【０００３】
【特許文献１】特開２０１６−１６１８６９号公報
【発明の概要】
【発明が解決しようとする課題】
【０００４】
しかしながら、教育現場等においては、通常、多数の生徒がおり、複数の列に並んで着席して同じ画面を見る。そのため前側にいる生徒の頭部や、板書中の先生の体によっては、画面の一部が隠れるため、視認できない領域が生じてしまう。
【０００５】
本発明は、このような事情に鑑みてなされたもので、その目的は、視認性を向上させることができる情報処理装置、表示装置、表示システム、表示方法を提供することにある。
【課題を解決するための手段】
【０００６】
上述した課題を解決するために、本発明の一態様は、複数の表示装置に通信可能に接続される情報処理装置であって、前記複数の表示装置のうち第１表示装置の表示画面に対する描画操作の入力を受け付ける描画操作受付部と、前記描画操作に応じた表示内容を示すセッション情報を記憶する記憶部と、前記複数の表示装置のうち第１表示装置に表示される表示画面に対する表示切り替えを指示する切り替え操作の入力を受け付ける切り替え操作受付部と、前記切り替え操作の入力を受け付けると、前記記憶部に記憶されたセッション情報を前記複数の表示装置のうち前記第１表示装置とは異なる第２表示装置に表示させる表示制御部とを有する。
【０００７】
また、本発明の一態様は、複数の表示装置が通信可能に接続される表示システムにおける第１表示装置として機能する表示装置であって、前記複数の表示装置のうち第１表示装置の表示画面に対する描画操作の入力を受け付ける描画操作受付部と、前記描画操作に応じた表示内容を示すセッション情報を記憶する記憶部と、前記複数の表示装置のうち第１表示装置に表示される表示画面に対する表示切り替えを指示する切り替え操作の入力を受け付ける切り替え操作受付部と、前記切り替え操作の入力を受け付けると、前記記憶部に記憶されたセッション情報を前記複数の表示装置のうち前記第１表示装置とは異なる第２表示装置に表示させる表示制御部とを有する。
【０００８】
また、本発明の一態様は、複数の表示装置が通信可能に接続される表示システムであって、第１表示装置は、前記複数の表示装置のうち第１表示装置の表示画面に対する描画操作の入力を受け付ける描画操作受付部と、前記描画操作に応じた表示内容を示すセッション情報を記憶する記憶部と、前記複数の表示装置のうち第１表示装置に表示される表示画面に対する表示切り替えを指示する切り替え操作の入力を受け付ける切り替え操作受付部と、前記切り替え操作の入力を受け付けると、前記記憶部に記憶されたセッション情報を前記複数の表示装置のうち前記第１表示装置とは異なる第２表示装置に表示させる表示制御部と、を有し、第２表示装置は、前記第１表示装置から送信されるセッション情報に応じた画像を第１表示装置から受信する受信部と、前記受信した画像を表示する表示部と、を有する。
【０００９】
また、本発明の一態様は、複数の表示装置に通信可能に接続される情報処理装置における表示方法であって、描画操作受付部が、前記複数の表示装置のうち第１表示装置の表示画面に対する描画操作の入力を受け付け、記憶部が、前記描画操作に応じた表示内容を示すセッション情報を記憶し、切り替え操作受付部が、前記複数の表示装置のうち第１表示装置に表示される表示画面に対する表示切り替えを指示する切り替え操作の入力を受け付け、表示制御部が、前記切り替え操作の入力を受け付けると、前記記憶部に記憶されたセッション情報を前記複数の表示装置のうち前記第１表示装置とは異なる第２表示装置に表示させる表示方法である。
【００１０】
また、本発明の一態様は、複数の表示装置が通信可能に接続される表示方法であって、第１表示装置は、前記複数の表示装置のうち第１表示装置の表示画面に対する描画操作の入力を受け付け、前記描画操作に応じた表示内容を示すセッション情報を記憶し、前記複数の表示装置のうち第１表示装置に表示される表示画面に対する表示切り替えを指示する切り替え操作の入力を受け付け、前記切り替え操作の入力を受け付けると、前記記憶されたセッション情報を前記複数の表示装置のうち前記第１表示装置とは異なる第２表示装置に表示させ、第２表示装置が、前記第１表示装置から送信されるセッション情報に応じた画像を第１表示装置から受信し、前記受信した画像を表示する表示方法である。
【発明の効果】
【００１１】
以上説明したように、この発明によれば、第１表示装置において表示されていた画像を切り替え操作が入力されることにおうじて、第２表示装置に表示させるようにしたので、第１表示装置の表示画面の近傍に遮蔽物があったとしても第２表示装置に表示させることができるため、視認性を向上させることができる。
【図面の簡単な説明】
【００１２】
【図１】この発明の一実施形態による画像表示システム１の構成を示す概略ブロック図である。
【図２】本発明の実施形態に係る情報処理装置１０の構成を示すブロック図である。
【図３】記憶部２１１Ａに記憶されるセッション情報の一例を示す図である。
【図４】投写装置２１Ａの動作を説明するフローチャートである。
【図５】投写装置２１Ｂの動作を説明するフローチャートである。
【図６Ａ】オブジェクトが描画された状態であって切り替え操作が行われる前の表示状態を示す図である。
【図６Ｂ】切り替え操作が行われた後の表示状態を示す図である。
【図７】第２実施形態における画像表示システム１Ａの構成を示す概略ブロック図である。
【図８】本発明の実施形態に係る情報処理装置１０の構成を示すブロック図である。
【発明を実施するための形態】
【００１３】
以下、本発明の一実施形態による画像表示システム１について図面を参照して説明する。
図１は、この発明の一実施形態による画像表示システム１の構成を示す概略ブロック図である。画像表示システム１は、第１表示システム２０Ａと第２表示システム２０Ｂとを含んで構成される。第１表示システム２０Ａと第２表示システム２０Ｂとを特に識別する必要がない場合には、単に表示システム２０と称する場合もある。
【００１４】
第１表示システム２０Ａは、投写装置２１Ａと撮像装置２２Ａとから構成される。図１において、投写装置２１Ａと撮像装置２２Ａは、別の装置である場合について図示しているが、撮像装置２２Ａが投写装置２１Ａに内蔵されてもよい。
投写装置２１Ａは映像信号出力装置であり、スクリーン２４Ａの投写面に投写画像２５Ａを映し出す。スクリーン２４Ａは、投写装置２１Ａで生成された画像を表示する表示部として機能する。撮像装置２２Ａは、スクリーン２４Ａに表示される表示画像を撮像する。投写装置２１Ａは、この撮像装置２２Ａによって撮像された結果を用いて、スクリーン２４Ａに投写された投写画像２５Ａの補正をする。補正としては、例えば、台形補正や焦点距離の補正がある。
【００１５】
第２表示システム２０Ｂは、投写装置２１Ｂと撮像装置２２Ｂとから構成される。図１において、投写装置２１Ｂと撮像装置２２Ｂは、別の装置である場合について図示しているが、撮像装置２２Ｂが投写装置２１Ｂに内蔵されてもよい。
投写装置２１Ｂは映像信号出力装置であり、スクリーン２４Ｂの投写面に投写画像２５Ｂを映し出す。スクリーン２４Ｂは、投写装置２１Ａで生成された画像を表示する表示部として機能する。
【００１６】
スクリーン２４Ａとスクリーン２４Ｂは、お互いの表示画面が面方向において並ぶように配置される。スクリーン２４Ａとスクリーン２４Ｂは、例えば、長手方向（横方向）に並ぶように隣接して配置される。また、スクリーン２４Ａとスクリーン２４Ｂは、短手方向（縦方向）に並ぶように隣接して配置されてもよい。
なお、スクリーン２４Ａは、投写装置２１Ａから投写された光を反射するシート状のスクリーンが用いられるが、投写装置２１Ａが設置された近傍の壁面であってもよい。
例えば、第１表示システム２０Ａと第２表示システム２０Ｂ（あるいはスクリーン２４Ａとスクリーン２４Ｂ）は、同一部屋内に設置される。部屋としては例えば、会議室、プレゼンテーションを行う会場、教室等であってもよい。この場合、第１表示システム２０Ａと第２表示システム２０Ｂ（あるいはスクリーン２４Ａとスクリーン２４Ｂ）とのうちいずれか１つの表示システム（スクリーン）が主として設定され、他の表示システム（スクリーン）が従の表示システムとして設定される。そして主として設定された表示システムにおいて、ユーザによって、各種操作入力（描画操作等を含む）を行うことができる。
この実施形態においては、第１表示システム２０Ａを主、第２表示システム２０Ｂを従として設定された場合について説明する。ここでは、主である第１表示システム２０Ａにおいては、電子ペン２３Ａや指等によって各種操作入力を行うことが可能である。
なお、表示システムの主と従は、切り替えられるようにしてもよい。
【００１７】
投写装置２１Ａ及び投写装置２１Ｂ（以下、投写装置２１Ａ及び投写装置２１Ｂを特に識別しない場合には単に投写装置２１と称する）は、例えばプロジェクタであってもよい。また、図１において、情報処理装置１０に対し、投写装置２１が２台接続される場合について例示したが、３台以上であってもよい。
【００１８】
図２は、本発明の実施形態に係る情報処理装置１０の構成を示すブロック図である。
投写装置２１Ａは、記憶部２１１Ａと、通信部２１２Ａと、入力部２１３Ａと、画像処理部２１４Ａと、画像出力部２１５Ａと、制御部２１６Ａとを含んで構成される。
記憶部２１１Ａは、各種情報を記憶する。
例えば、記憶部２１１Ａは、ユーザの描画操作に応じた表示内容を示すセッション情報を記憶する。セッション情報は、例えば、書き込みを行う背景となる画像やユーザの操作に応じて画面に書きこんだオブジェクトの位置、表示装置で出力している画像に対応するセッション番号等のインタラクティブホワイトボードでの書き込み状態を復元するための情報を含む。記憶部２１１Ａは、異なる時点において表示された表示内容であるセッション情報を異なる時点のそれぞれにおいて記憶する。
また、記憶部２１１Ａは、スクリーン２４Ｂに投写するための画像を記憶する画像メモリとしても機能する。
【００１９】
通信部２１２Ａは、投写装置２１Ｂと各種データの送受信を行う。通信部２１２Ａは、通信ケーブルを介して投写装置２１Ｂ（通信部２１２Ｂ）に接続される。通信部２１２Ａと投写装置２１Ｂ（通信部２１２Ｂ）は、無線によって接続されるようにしてもよい。
入力部２１３Ａは、電子ペン２３Ａによる入力またはスクリーン２４Ａにおいて指等によって操作に応じた入力を受け付け、検知する。例えば、入力部２１３Ａは、電子ペン２３Ａ（または指等）によって、複数の表示装置のうち第１表示装置に表示される表示画面に対する表示切り替えを指示する切り替え操作の入力を受け付ける。入力部２１３Ａは、記憶部２１１に記憶された複数のセッション情報のうち表示対象となるセッション情報を選択する指示の入力を、電子ペン２３Ａ等の操作内容に応じて受け付ける。入力部２１３Ａは、各種のＧＵＩ（（Ｇｒａｐｈｉｃａｌ  Ｕｓｅｒ  Ｉｎｔｅｒｆａｃｅ）による入力や、各種の入力キーやリモコンによる入力、電子ペン２３Ａの操作内容に応じた入力、スクリーン２４Ａに対するユーザの指による操作内容に応じた入力を受け付ける。入力部２１３Ａは、セッション情報を選択する指示または新規画面を生成する新規画面生成指示の入力を、電子ペン２３Ａなどの操作内容に応じて受け付ける。
【００２０】
ここで、電子ペン２３Ａとしては、赤外線と超音波を用いて、ユーザが電子ペン２３Ａで指示したスクリーン２４Ａの投写面における座標を検出するものが用いられる。例えば、電子ペン２３Ａから赤外線と超音波を同時に出力し、入力部２１３Ａが、この赤外線と超音波を検出すると、電子ペン２３Ａからの距離に応じて、赤外線と超音波の検出に時間差が生じる。したがって、例えばスクリーン２４Ａの４頂点に赤外線及び超音波の検出器を設け、赤外線と超音波の検出の時間差を検出すれことで、電子ペン２３Ａとスクリーン２４Ａの各頂点との間の距離を検出することができ、これにより、入力部２１３は、電子ペン２３Ａのスクリーン２４Ａにおける座標を求めることができる。入力部２１３は、このような原理に基づいて、ユーザが電子ペン２３Ａで指示したスクリーン４０の投写面の座標を検出する。
なお、この例では、電子ペン２３Ａを用いてユーザの描画を検出しているが、スクリーン４０上でユーザが座標を指示できれる入力デバイスであれば、どのようなものを用いてもよい。
【００２１】
画像処理部２１４Ａは、入力部２１３から入力されたデータを画像に合成する。
画像出力部２１５Ａは、例えば液晶パネルと投写レンズと光源を含んでおり、画像処理部２１４Ａから得られた画像を液晶パネルに描画し、液晶パネルに描画された画像を光源からの光を用いて投写レンズを介して外部（スクリーン）に投写する。
制御部２１６Ａは、投写装置２１Ａ内の各部（例えば記憶部２１１Ａと通信部２１２Ａと入力部２１３Ａと画像処理部２１４Ａと画像出力部２１５Ａ）を制御する。また、制御部２１６Ａは、切り替え操作の入力を受け付けると、記憶部２１１Ａに記憶されたセッション情報を複数の表示装置のうち第１表示装置とは異なる第２表示装置（例えば、投写装置２１Ｂ）に表示させる。また、制御部１０６Ａは、セッション情報によって選択されたセッション情報を記憶部２１１Ａから読み出して第２表示装置（例えば投写装置２１Ｂ）に表示させる。また、制御部１０６Ａは、入力部１３から入力された指示に応じて選択されたセッション情報または新規画面を第２表示装置に表示させる。
制御部１０６Ａは、例えばＣＰＵ（中央処理装置）等の処理装置若しくは専用の電子回路で構成されてよい。
【００２２】
投写装置２１Ｂは、記憶部２１１Ｂと、通信部２１２Ｂと、画像処理部２１４Ｂと、画像出力部２１５Ｂと、制御部２１６Ｂとを含んで構成される。記憶部２１１Ｂは、投写装置２１Ａより入力された画像を一時記憶する。通信部２１２Ｂは、投写装置２１Ａと通信を行う。画像処理部２１４Ｂは、投写装置２１Ａから入力される映像信号に対して画像処理を行い、画像出力部２１５Ｂから出力させる。画像出力部２１５Ｂは、例えば液晶パネルと投写レンズと光源を含んでおり、画像処理部２１４Ａから得られた画像を液晶パネルに描画し、液晶パネルに描画された画像を光源からの光を用いて投写レンズを介して外部（スクリーン）に投写する。制御部２１６Ｂは、投写装置２１Ｂの各部（例えば、記憶部２１１Ｂと通信部２１２Ｂと画像出力部２１５Ｂと画像処理部２１４Ｂ）を制御する。
【００２３】
上述した記憶部２１１Ａ、記憶部２１１Ｂは、記憶媒体、例えば、ＨＤＤ（Ｈａｒｄ  Ｄｉｓｋ  Ｄｒｉｖｅ）、フラッシュメモリ、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＲＡＭ（Ｒａｎｄｏｍ  Ａｃｃｅｓｓ  ｒｅａｄ／ｗｒｉｔｅ  Ｍｅｍｏｒｙ）、ＲＯＭ（Ｒｅａｄ  Ｏｎｌｙ  Ｍｅｍｏｒｙ）、またはこれらの記憶媒体の任意の組み合わせによって構成される。この記憶部２１１Ａ、記憶部２１１Ｂは、例えば、不揮発性メモリを用いることができる。
【００２４】
図３は、記憶部２１１Ａに記憶されるセッション情報の一例を示す図である。
セッション情報は、セッション番号とセッション内容とを含む。セッション番号は、セッションを識別する情報である。セッション内容は、スクリーンに投影された画像を示す情報である。このセッション内容には、例えば、電子ペン２３Ａや指等で描画された描画内容（スクリーン上において描画された位置を示す座標、描画された形状、投写された背景画像等）を含む。
【００２５】
次に、上述した画像表示システム１の動作を説明する。
図４は、投写装置２１Ａの動作を説明するフローチャートである。
投写装置２１Ａは、電源がＯＮとなった後（ステップＳ１００）、投写装置２１Ａのセッション情報を生成する（ステップＳ１０１）。このセッション情報の生成において、入力部２１３Ａは、電子ペン２３Ａ等によって入力された操作内容に基づいて、スクリーン２４Ａの画面上における座標位置を検出する。この検出結果に応じて、画像処理部214Aは、この描画操作に応じた形状、色のオブジェクトを生成する。画像出力部２１５Ａは、生成されたオブジェクトをセッション情報として記憶部211Aに記憶する。ここでは、電源が投入されてから最初に生成されたオブジェクトである場合には、セッション番号が新たに発行された上で、セッション情報として記憶部211Aに記憶される。画像処理部214Aは、生成されたオブジェクトを画像出力部２１５Aから出力させる。これにより、電子ペン２３Ａの操作に応じた画像がスクリーン２４Ａに表示される。
このセッション情報の生成処理では、電子ペン２３Ａの操作内容に応じて、オブジェクトの追加、オブジェクトの編集（表示位置の移動、オブジェクトの色の変更、サイズの変更、オブジェクトの削除等）を行うこともできる。この場合、１つのセッション情報には複数のオブジェクトが格納される。
【００２６】
次に、制御部２１６Ａは、ＵＩ（User Interface）ボタンの操作が行われたか否かを判定する（ステップＳ１０２）。ＵＩボタンは、投写装置２１Ａの画面上に少なくとも１つ表示されており、そのＵＩボタンが表示された座標に対して電子ペン２３Ａあるいはユーザの指によってタッチ操作がされた場合には、入力部２１３ＡによってＵＩボタンの操作入力の受け付けをする。一方、一定時間経過してもタッチ操作が検出されない場合、制御部２１６Ａは、ＵＩボタンの操作が行われなかったとして、再度ステップＳ１０２の判定を実行する。
ＵＩボタンの操作が行われたと判定した場合、制御部２１６Aは、電子ペン２３Ａから画面切り替え操作を実行する指示が入力されたか否かを判定する（ステップＳ１０３）。画面切り替え操作は、例えば、スクリーン２４Ａの所定の領域（例えば、スクリーン２４Ａの周縁部のうちの右側の辺近傍）に投影されたメニュー画像のうち、画面切り替えボタンがタッチされたか否かを判定する。
制御部２１６Ａは、画面切り替え操作がされていないと判定した場合には、制御部２１６Ａは、終了するか否かを判定し（ステップＳ１１３）、終了する場合には電源をオフにする。終了するか否かの判定は、例えば、終了することを表すＵＩボタンに対して操作入力されたか否かに基づいて判定してもよい。制御部２１６Ａは、終了することを表すＵＩボタンに対する操作入力されたと判定すると、電源をオフにする。一方、終了することを表すＵＩボタンに対する操作入力ではない場合、制御部２１６Ａは、ステップＳ１０２に処理を移行する。ここでは、制御部２１６Ａは、画面切り替え操作、終了することを表すＵＩボタンに対する操作、のいずれにも該当しないＵＩボタンに対する操作入力であるため、この操作入力されたＵＩボタンに応じた機能を実行してからステップＳ１０２に移行するようにしてもよい。
一方、制御部２１６Ａは、画面切り替え操作がされたと判定した場合には、投写装置２１Ａにおける書き込み状態に対応する画像データを生成し、生成した画像データを投写装置２１Ｂに送信することで投写装置２１Ｂによって投写させる（ステップＳ１０４）。これにより、切り替え操作が入力された時点におけるスクリーン２４Ａに表示された画像が投写装置２１Ｂによって、スクリーン２４Ｂに投写（表示）される。
【００２７】
次に、制御部２１６Ａは、記憶部211Aに保存されているセッション情報があるか否かを判定する（ステップＳ１０６）。制御部２１６Ａは、記憶部２１１Ａに保存されているセッション情報がある場合には、保存されているセッション情報のリストを読み出し（ステップＳ107）、リストに応じた画像を画像処理部214Aによって生成させ、画像出力部２１５Aからセッションリストとして出力させる。これにより、スクリーン２４Ａに、セッションリストが表示される。記憶部211Aに記憶されたセッション情報が複数ある場合には、これら複数のセッション情報がそれぞれ列記されたセッションリストが表示される。セッションリストの表示は、セッション番号を表示するようにしてもよいし、セッション情報に応じたサムネイル画像を並べて表示するようにしてもよい。また、ここでは、記憶部211Ａに保存されていたセッション情報の他に、セッションを新たに生成する「新規セッションの生成」の選択肢がリストに含められて表示されてもよい。ここでは、画面切り替え操作が行われた時点においてスクリーン２４Ａに表示されていた画像の上に重畳させてリストを表示してもよい。
【００２８】
制御部２１６Ａは、電子ペン２３Ａの操作に基づいて、リストのなかからいずれのセッション情報（あるいは新規セッションの生成）が選択されたかを示す操作入力を受け付ける（ステップＳ108）。この入力は、例えば、スクリーン２４Ａに表示されたリストのうち、電子ペン２３Ａによっていずれのセッション情報がタッチされたかを検出する。
制御部２１６Ａは、電子ペン２３Ａによるタッチ操作を検出すると、セッションリストのいずれかのセッション情報が選択されたかを判定する（ステップＳ１０９）。タッチ操作が、セッションリストのうちセッション情報ではない箇所がタッチされた場合すなわち新規セッションの生成のボタンがタッチされた場合には、制御部２１６Ａは、新規セッションを生成する（ステップＳ１１２）。新規セッションが生成されると、制御部２１６Ａは、現在表示されているセッションの画像を消去し、新たなセッションに応じた画像（例えば、何も描画されていない画像）を画像出力部２１５Ａによって表示させる。
一方、制御部２１６Ａは、タッチ操作によっていずれかのセッション情報がタッチされたことを検出した場合には、そのタッチ操作されたセッション情報を特定し、そのセッション情報を記憶部211Aから読み出す（ステップＳ110）。そして、制御部２１６Ａは、読み出されたセッション情報に応じた画像を画像出力部２１５Ａによってスクリーン２４Ａに表示させる（ステップＳ１１１）。
【００２９】
ステップＳ１１１またはステップＳ１１２の後、制御部２１６Ａは、処理をステップＳ１０１に移行する。制御部２１６Ａは、ステップＳ１１０においてセッション情報の読み出しを行っていた場合には、読み出されたセッション情報がスクリーン２４Ａに表示されるため、このスクリーン２４Ａに表示された内容に対する電子ペン２３Ａの操作内容に応じたオブジェクトの追加、オブジェクトの編集（表示位置の移動、オブジェクトの色の変更、サイズの変更、オブジェクトの削除等）を行うことができる。
【００３０】
次に、図５は、投写装置２１Ｂの動作を説明するフローチャートである。
投写装置２１Ｂは、電源がＯＮにされると、投写装置２１Ａから送信される画像データの受信を開始する（ステップＳ１１）。
【００３１】
制御部２１６Ｂは、投写装置２１Ａから表示すべき画像データの受信が完了しているか否かを判定する（ステップＳ２０２）。制御部２１６Ｂは、投写装置２１Ａから画像データの受信が完了していなければ、一定のウエイト時間が経過した後、再度ステップＳ２０２を実行する。ここでは、投写装置２１Ａから画像データが送信されていない場合、通信中であって画像データの受信が完了していない場合には、画像データの受信が完了していないと判定する。
一方、制御部２１６Ｂは、画像データの受信が完了した場合、制御部２１６Bは、投写装置２１Ａから表示指示を受信したか否かを判定する（ステップＳ２０３）。制御部２１６Ｂは、表示指示を受信していなければ、一定のウエイト時間が経過した後、再度ステップＳ２０３の判定を行う。
一方、制御部２１６Ｂは、表示指示を受信した場合には、投写装置２１Ａから送信された画像データを画像処理部214Ｂに画像データを表示するように指示をする。これにより、画像処理部214Ｂは、受信した画像データを画像出力部２１５Ｂによって出力させることで、スクリーン２４Ｂに表示させる（ステップＳ２０４）。
【００３２】
この図５に示す処理は、一定時間毎に実行される。
【００３３】
図６は、画像表示システム１においてスクリーン２４Ａとスクリーン２４Ｂに画像が表示された状態を示す図である。
図６Aは、オブジェクトが描画された状態であって切り替え操作が行われる前の表示状態を示す図、図６Bは、切り替え操作が行われた後の表示状態を示す図である。
図６Aにおいて、スクリーン２４Ａには、オブジェクト５０とオブジェクト５１との２つのオブジェクトが表示されるとともに、メニュー画像５２が表示されており、スクリーン２４Ｂには、何も表示されていない状態である。
このような状態において、電子ペン２３Ａから切り替え操作が入力されると、図６Ｂに示すように、スクリーン２４Ａに表示されていたオブジェクト５０とオブジェクト５１は、非表示の状態となり、スクリーン２４Ｂでは、図６Ａにおいてスクリーン２４Ａに表示されていた状態と同様の画像が表示される。これにより、スクリーン２４Ｂでは、オブジェクト５０とオブジェクト５１が表示される。なお、スクリーン２４Ａにおいて、投写装置２１Ａが主であるため、メニュー画像５２は、そのまま継続して表示され、切り替え操作が行われたとしても、スクリーン２４Ｂには表示されない。
【００３４】
図７は、第２実施形態における画像表示システム１Ａの構成を示す概略ブロック図である。画像表示システム１Ａは、情報処理装置１０と第１表示システム２０Ｃと第２表示システム２０Ｄとを含んで構成される。
情報処理装置１０は、第１表示システム２０Ｃの投写装置２１Ｃと第２表示システム２０Ｄの投写装置２１Ｄと通信線を介してそれぞれ接続される。
第１実施形態においては、投写装置２１Ａが主であって投写装置２１Ｂが従であり、切り替え操作に応じて投写装置２１Ａから画像データを投写装置２１Ｂに送信し、投写装置２１Ｂから画像データをスクリーン２４Ｂに表示する場合について説明したが、この実施形態においては、投写装置２１Ａに設けられた機能の一部を情報処理装置１０として外部装置に搭載した場合について説明する。
【００３５】
投写装置２１Ｃは映像信号出力装置であり、スクリーン２４Ｃの投写面に投写画像２５Ｃを映し出す。スクリーン２４Ｃは、情報処理装置１０で生成された画像を表示する表示部として機能する。撮像装置２２Ｃは、スクリーン２４Ｃに表示される表示画像を撮像する。投写装置２１Ｃは、この撮像装置２２Ｃによって撮像された結果を用いて、スクリーン２４Ｃへの投写された投写画像２５Ｃの補正をする。補正としては、例えば、台形補正や焦点距離の補正がある。電子ペン２３Ｃは、スクリーン２４Ｃにおける各種操作入力を行う。
【００３６】
投写装置２１Ｄは映像信号出力装置であり、スクリーン２４Ｄの投写面に投写画像２５Ｄを映し出す。スクリーン２４Ｄは、情報処理装置１０で生成された画像を表示する表示部として機能する。撮像装置２２Ｄは、スクリーン２４Ｄに表示される表示画像を撮像する。投写装置２１Ｄは、この撮像装置２２Ｄによって撮像された結果を用いて、スクリーン２４Ｄへの投写された投写画像２５Ｄの補正をする。補正としては、例えば、台形補正や焦点距離の補正がある。
【００３７】
図８は、本発明の実施形態に係る情報処理装置１０の構成を示すブロック図である。
図８において、情報処理装置１０において、通信部１０１は、投写装置２１Ｃと投写装置２１Ｄとに通信ケーブルによって通信可能に接続される。描画操作受付部１０２は、前記複数の表示装置のうち第１表示装置（例えば、投写装置２１Ｃ）の表示画面に対する描画操作の入力を受け付ける。記憶部１０３は、描画操作に応じた表示内容を示すセッション情報を記憶する。記憶部１０３は、異なる時点において表示された表示内容であるセッション情報を前記異なる時点のそれぞれにおいて記憶する。また、記憶部１０３は、第１実施形態における記憶部211Aと同様にセッション情報を記憶することができる。
【００３８】
切り替え操作受付部１０４は、複数の表示装置のうち第１表示装置に表示される表示画面に対する表示切り替えを指示する切り替え操作の入力を受け付ける。セッション情報選択部１０５は、記憶部103に記憶された複数のセッション情報のうち表示対象となるセッション情報を選択する指示の入力を受け付ける。セッション情報選択部１０５は、前記セッション情報を選択する指示または新規画面を生成する新規画面生成指示の入力を受付する。表示制御部１０６は、切り替え操作の入力を受け付けると、記憶部103に記憶されたセッション情報を複数の表示装置のうち第１表示装置とは異なる第２表示装置（例えば、投写装置２１D）に表示させる。表示制御部１０６は、セッション情報によって選択されたセッション情報を記憶部１０３から読み出して第２表示装置に表示させる。表示制御部１０６は、セッション情報選択部１０５から入力された指示に応じて選択されたセッション情報または新規画面を前記第２表示装置に表示させる。
【００３９】
以上説明した実施形態において、表示装置としては、投写装置を用いる場合について説明したが、表示パネルの画面上に画像を描画する表示装置（例えば液晶表示装置）であってもよい。
【００４０】
以上説明した実施形態によれば、第１表示装置において書き込みされた内容を表す画像を、切り替え操作に応じて他の表示装置に表示するようにした。これにより、第１表示装置の近傍でユーザ（例えば先生）が第１表示装置の表示画面に書き込みや表示画面に関する説明を行う場合、表示装置の表示画面に対する閲覧者（例えば生徒）のいる位置によっては、表示画面と自身との間にユーザが位置すると、表示画面の一部が視認できなくなるが、ユーザが切り替え操作を行うことで、第１表示装置に表示された画像を第２表示装置に表示させることができる。これにより、閲覧者は、自身と第２表示装置との間には、ユーザがいないため、第２表示装置の表示画面を閲覧することで、表示画面を閲覧することができる。これにより、視認性を向上させることができる。
【００４１】
また、以上説明した実施形態によれば、表示装置がプロジェクタであって、教育や会議の目的で使用されるＩＷＢ機能を搭載したプロジェクタである場合には、通常のプロジェクタとは異なり高価であるにも関わらず、同価格帯でのＩＷＢ機能を搭載したモニタよりも解像度が低い傾向にある。そのため、解像度の低さから、モニタに比べて書き込みできる量も少ない。しかし、上述した実施形態によれば、複数の表示画面を利用し、ある表示装置において表示している画像を、切り替え操作が入力されることに応じて、他の表示装置に表示させることができ、書き込みできる量が低減してしまうことを抑えることができる。また、書き込みするにあたり、複数の表示装置にそれぞれ書き込みをする必要がなく、特定の表示装置に書き込みすれば、他の表示装置に転送して表示させることができることから、ユーザは、他の表示装置の近傍まで移動して書き込みをする必要がない。また、他の表示装置については、直接書き込みをする必要がないので、他の表示装置については、ユーザが直接手が届くような場所でなくても設置可能となる。
【００４２】
また、上述の表示装置は３台以上設置されるようにしてもよい。この場合、第１表示装置から他の表示装置に画像データを送信する際、どの表示装置に送信するかを指定し、その指定された表示装置において画像を表示するようにしてもよいし、他の表示装置のそれぞれに画像データを送信して、他の表示装置のそれぞれにおいて、画像データを表示するようにしてもよい。
【００４３】
また、上述の実施形態によれば、切り替え操作を行った際に、他の表示装置に画像データを送信して表示させることができるので、ユーザは、表示内容ではなくユーザ自身に着目して欲しい場合には、他の表示装置への送信を行わないようにすることもできる。例えば、教卓の上で教材等を利用した説明をする際には、切り替え操作を行わないことで、閲覧者の視線を他の表示装置に向かないようにすることができ、説明に集中してもらうことができる。
【００４４】
また、上述した第１実施形態における投写装置２１Aの機能あるいは第２実施形態における情報処理装置１０の機能をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Ｆｉｅｌｄ  Ｐｒｏｇｒａｍｍａｂｌｅ  Ｇａｔｅ  Ａｒｒａｙ）等のプログラマブルロジックデバイスを用いて実現されるものであってもよい。
【００４５】
以上、この発明の実施形態について図面を参照して詳述してきたが、具体的な構成はこの実施形態に限られるものではなく、この発明の要旨を逸脱しない範囲の設計等も含まれる。
【符号の説明】
【００４６】
１…画像表示システム、１Ａ…画像表示システム、１０…情報処理装置、１３…入力部、２０…表示システム、２０Ａ…第１表示システム、２０Ｂ…第２表示システム、２０Ｃ…第１表示システム、２０Ｄ…第２表示システム、２１…投写装置、２１Ａ…投写装置、２１Ｂ…投写装置、２１Ｃ…投写装置、２１Ｄ…投写装置、２２Ａ…撮像装置、２２Ｂ…撮像装置、２２Ｃ…撮像装置、２２Ｄ…撮像装置、２３Ａ…電子ペン、２３Ｃ…電子ペン、２４Ａ…現在スクリーン、２４Ａ…スクリーン、２４Ｂ…スクリーン、２４Ｃ…スクリーン、２４Ｄ…スクリーン、２５Ａ…投写画像、２５Ｂ…投写画像、２５Ｃ…投写画像、２５Ｄ…投写画像、４０…スクリーン、５０…オブジェクト、５１…オブジェクト、５２…メニュー画像、１０１…通信部、１０２…描画操作受付部、１０３…記憶部、１０４…操作受付部、１０５…セッション情報選択部、１０６…表示制御部、１０６Ａ…制御部、２１１…記憶部、２１１Ａ…記憶部、２１１Ｂ…記憶部、２１２Ａ…通信部、２１２Ｂ…通信部、２１３…入力部、２１３Ａ…入力部、２１４Ａ…画像処理部、２１４Ｂ…画像処理部、２１５Ａ…画像出力部、２１５Ｂ…画像出力部、２１６Ａ…制御部、２１６Ｂ…制御部
【図１】
2020181161.tif 000003
【図２】
2020181161.tif 000004
【図３】
2020181161.tif 000005
【図４】
2020181161.tif 000006
【図５】
2020181161.tif 000007
【図６Ａ】
2020181161.tif 000008
【図６Ｂ】
2020181161.tif 000009
【図７】
2020181161.tif 000010
【図８】
2020181161.tif 000011